(57)【要約】【課題】  時間帯視聴頻度によらない、ユーザの本来の嗜好に基づいた嗜好度の計算を行うことにより、自動録画処理における、ユーザの嗜好の反映度を高めたテレビジョン放送受信装置を提供する。【解決手段】  リモコン信号受信処理部６は、ユーザのリモコン９による選局の操作を行うと共に、リモコン信号を操作履歴作成処理部７に供給する。操作履歴作成処理部７は、機器の操作履歴を作成して蓄積装置８に供給する。また、ＥＰＧ取得処理部５では、映像信号から受信した番組情報やＥＰＧ情報を抽出して蓄積装置８に供給する。蓄積されたＥＰＧ情報と過去の操作履歴情報を番組間優先情報作成処理部３に供給する。番組間優先情報作成処理部３は、供給された情報に基づき特定の日時における番組間の優先度情報を作成する。この作成された情報を基に自動録画処理部４で自動録画を行うようにしている。【選択図】      図１
2005159978.tif 000002
【特許請求の範囲】
【請求項１】
デジタル放送テレビジョン信号からユーザが所望の番組を選局する選局手段と、
前記選局した番組の時刻情報を検出する時刻情報検出手段と、
前記選局した番組のジャンル情報を取得するジャンル情報取得手段と、
前記検出した時刻情報及び前記取得したジャンル情報を記憶する記憶手段と、
前記記憶手段の内容から所定過去期間における前記ユーザ選局番組の時刻情報及びジャンル情報を抽出し、ユーザの視聴傾向情報を生成する視聴傾向情報生成手段と、
を有し、
前記視聴傾向情報生成手段にて生成したユーザの視聴傾向情報によりユーザの所望する番組を自動録画するようにしたことを特徴とするテレビジョン放送受信装置。
【請求項２】
前記視聴傾向情報生成手段は、前記記憶手段の内容における過去の特定の時刻情報に関し、継続的に同一番組を見ていた状態から、別番組に切り換えた場合には、前記別番組の視聴傾向優先度を高くすることを特徴とする請求項１に記載のテレビジョン放送受信装置。
【発明の詳細な説明】
【技術分野】
【０００１】
本発明はテレビジョン放送を受信し録画するテレビジョン放送受信装置に関し、特に、過去の操作履歴（番組の視聴、録画、再生など）からユーザの視聴傾向を学習し、その情報に基づきテレビジョン番組を自動録画するための技術に関する。
【背景技術】
【０００２】
従来、VTRやDVDレコーダあるいはハードディスクレコーダなどでテレビジョン番組を録画する場合、ユーザが録画あるいは録画予約の操作をする必要があった。
【０００３】
この録画あるいは録画予約の操作を簡素化するため、ユーザの視聴履歴を基に自動録画するものが提案されている（例えば、特許文献１参照、。）。
【特許文献１】特開平５−６２２８３号公報
【発明の開示】
【発明が解決しようとする課題】
【０００４】
ところで、一般的なテレビジョン番組の見方はながら見が多く、しかもだいたい同じ時間帯に同じ番組を見るもので、意識してその番組を見ようと思ってみている番組は意外と少ないものである。従来の方法では、視聴頻度の高い番組を優先的に録画するものであり、上述のような番組も視聴頻度が高くなるために自動録画する際にごみとなってしまい、逆にたまに見る本当に興味のある番組は視聴頻度が低いために録画されないという問題があった。
【０００５】
本発明は、以上の点に鑑みなされたもので、時間帯視聴頻度によらない、ユーザの本来の嗜好に基づいた嗜好度の計算を行うことにより、自動録画処理における、ユーザの嗜好の反映度を高めたテレビジョン放送受信装置を提供することを目的とする。
【課題を解決するための手段】
【０００６】
本発明は、上記課題を解決するために、以下に記載の１）〜２）の手段よりなる。
すなわち、
１）デジタル放送テレビジョン信号からユーザが所望の番組を選局する選局手段と、
前記選局した番組の時刻情報を検出する時刻情報検出手段と、
前記選局した番組のジャンル情報を取得するジャンル情報取得手段と、
前記検出した時刻情報及び前記取得したジャンル情報を記憶する記憶手段と、
前記記憶手段の内容から所定過去期間における前記ユーザ選局番組の時刻情報及びジャンル情報を抽出し、ユーザの視聴傾向情報を生成する視聴傾向情報生成手段と、
を有し、
前記視聴傾向情報生成手段にて生成したユーザの視聴傾向情報によりユーザの所望する番組を自動録画するようにしたことを特徴とするテレビジョン放送受信装置。
【０００７】
２）前記視聴傾向情報生成手段は、前記記憶手段の内容における過去の特定の時刻情報に関し、継続的に同一番組を見ていた状態から、別番組に切り換えた場合には、前記別番組の視聴傾向優先度を高くすることを特徴とする１）に記載のテレビジョン放送受信装置。
【発明の効果】
【０００８】
本発明の「テレビジョン放送受信装置」によれば、視聴頻度によらない、ユーザの本来の嗜好に基づいた嗜好度の計算が可能となり、自動録画処理における、ユーザの嗜好の反映度を高めたテレビジョン放送受信装置を提供することができる。
【０００９】
また、録画した番組における嗜好情報からだけではなく、視聴中のテレビ番組からも嗜好情報を得るよう構成したことにより、ユーザの本来の嗜好により近づけることが可能なテレビジョン放送受信装置を提供することができる。
【発明を実施するための最良の形態】
【００１０】
以下、本発明に係るテレビジョン放送受信装置の発明を実施するための最良の形態につき、好ましい実施例により説明する。
【００１１】
図１は本実施例に適用されるテレビジョン放送受信装置の構成を示した概略ブロック図である。同図に示すようにテレビジョン放送受信装置１２は、チューナ部１、リモコン信号受信処理部６、ＥＰＧ取得処理部５、操作履歴作成処理部７、蓄積装置８、番組間優先情報作成処理部３、自動録画処理部４から構成されている。
【００１２】
テレビジョン放送受信装置１２は、アンテナ１０にてテレビ放送を受信してチューナ部１で選局を行い映像信号の復調をした後、復調された映像信号をＥＰＧ取得処理部５、自動録画処理部４及びモニタ１１に供給する。リモコン信号受信処理部６は、ユーザによるリモコン９の選局の操作を行うと共に、リモコン信号を操作履歴作成処理部７に供給する。操作履歴作成処理部７は、機器の操作履歴を作成して蓄積装置８に供給する。
【００１３】
また、ＥＰＧ取得処理部５では、供給された映像信号から受信した番組情報やＥＰＧ情報を抽出して蓄積装置８に供給する。これらを蓄積する蓄積装置８はランダムアクセス可能が可能であり、蓄積されたＥＰＧ情報と過去の操作履歴情報を番組間優先情報作成処理部３に供給する。番組間優先情報作成処理部３は、供給された情報に基づき特定の日時における番組間の優先度情報を作成する。この作成された情報を基に自動録画処理部４で自動録画を行うようにしている。
【００１４】
番組間優先情報作成処理部３では、蓄積されたＥＰＧ情報と過去の操作履歴情報だけではなく、自動録画処理部４で自動録画された映像信号の再生情報も抽出してユーザの嗜好を判断するようにしている。
【００１５】
以下図２のフローチャトを参照しながら番組間優先情報の作成手順について説明する。同図に示すように、番組間優先情報作成処理部３はまず蓄積装置８から該当する日時、例えば過去１０週間の毎週火曜日の１９：００〜２０：００の間の番組情報を検索し（ステップＳＴ１）、同一期間における操作履歴情報を蓄積装置８から取り出す（ステップＳＴ２）。
【００１６】
図３に操作履歴情報とＥＰＧ情報から作成された番組リストを示す。図中塗りつぶしで示されている部分は操作履歴情報よりその番組を見ていたと判断された番組である。このときのＥＰＧ情報の例を図４に、操作履歴情報の例を図５に示す。
【００１７】
操作履歴の１番目のレコードは番組キーが２なのでＥＰＧ情報のＩＤ２の番組を見たことを示している。同様に２番目のレコードはＥＰＧ情報のＩＤ６の番組を見たことを示している。
【００１８】
次に各番組ごとの例ではニュース、バラエティ、ドキュメンタリー、旅行の４種類の番組が存在している。（この場合チャンネルと考えてもよい。）番組に割り当てられている番組間の優先度を保持するパラメータの初期化を行う（ステップＳＴ３）。これを番組毎に繰り返す（ステップＳＴ４）。
【００１９】
次に各番組ごとの視聴した回毎の内容の類似度を求める（ステップＳＴ５）。これは例えば、各番組のＥＰＧデータの番組内容説明文を形態素解析して形態素に分けた後、単語ベクトル空間モデルなどを用いることによりそれぞれの番組の類似度を求めることで可能である。
【００２０】
本実施例では、類似度を求める要素として番組内容説明を用いているが、その他にタイトルやジャンル、出演者などの要素を加えることによりよりきめ細かに類似度を求めるように構成してもよい。
【００２１】
次に、求めた類似度を元に視聴していない同一番組に対して同様に類似度を求め、類似しているものとそうでないものに分類する。図３において、網掛けで表示した部分が視聴した回と類似している視聴していない回の番組を表している。本実施例ではバラエティ番組に関しては対象期間の全体にわたって内容が類似しているということを表している。一方、例えば旅行番組では視聴した２回が何れも海外旅行の旅行番組で、それ以外は国内旅行に関するもので類似度が分類されているような場合である。さらに例えばドキュメンタリー番組では、視聴した１回は経済問題に関するドキュメンタリーで、それ以外は自然科学に関するようなもので類似度が分類されているような場合である。
【００２２】
初期化ステップの後、日時の古いほうから操作履歴に基づき視聴したと判断される番組（バラエティ）を選択し、その番組（バラエティ）以外に過去に視聴した番組があるかをチェックする（ステップＳＴ６）。この段階（１／２１）では、これ以上過去のデータはないのでなしと判断して、視聴した該当番組パラメータを＋１する。
【００２３】
処理の対象を次の日（１／２８）に移し（ステップＳＴ９）同様の処理を行う。この場合も視聴した番組（バラエティ）以外には過去（１／２１）に視聴した番組はないので、視聴した該当番組のパラメータを＋１する。同様の処理を２／１１まで繰り返す。
【００２４】
２／１８の操作履歴情報では旅行番組を見ており、通常見ていたバラエティ番組は見ていない。さらに既に求めた番組ごとの類似度により前回まで見ていたバラエティ番組と今回見なかったバラエティ番組は内容的に類似していることがわかっている。これは通常見ていたバラエティ番組とは異なる旅行番組（海外旅行）を意識してみていると考えられるため、ステップＳＴ６で「通常見ていた番組を見なかった」と判断され、視聴した番組の優先情報パラメータは過去に視聴した番組のパラメータの最大値に＋１したものをセットする（ステップＳＴ８）。この時点での各番組のパラメータはニュース：０、バラエティ：４、ドキュメンタリー：０、旅行（海外旅行）：５となる。
【００２５】
翌週は、またバラエティを視聴したのでバラエティのパラメータを＋１し、同時に自分よりも優先度の高い番組のパラメータも＋１する。この場合旅行が５なので６とする（ステップＳＴ７）。同様の処理を３／４まで繰り返す。
【００２６】
３／１１の捜査履歴情報ではドキュメンタリー番組（経済問題）を見ており、通常見ていたバラエティ番組は見ていないので、該当番組よりも優先度の高い番組のパラメータを全て+１する処理を行う（ステップＳＴ８）。この時点での各番組のパラメータは、ニュース：０、バラエティ：６、ドキュメンタリー（経済問題）：７、旅行（海外旅行）：７となり、ドキュメンタリー（経済問題）と旅行（海外旅行）が同じ優先度となる。
【００２７】
以上のような処理を繰り返すことにより、最終的（３／２５現在）な各番組のパラメータはニュース：０、バラエティ：７、ドキュメンタリー（経済問題）：８、旅行（海外旅行）：９となる。
【００２８】
この結果から、視聴頻度の一番高いバラエティ番組よりもドキュメンタリー（経済問題）や旅行（海外旅行）のようにある共通の類似度を持った回の方が優先度が高くなり、視聴頻度によらずユーザの本来の嗜好に基づき番組の好みを判断していることがわかる。
【００２９】
このようにして求めた番組間優先情報により、各時間帯ごとに値の大きな番組を録画することにより、ユーザの本来の嗜好に基づいた自動録画をすることが可能となる。
【図面の簡単な説明】
【００３０】
【図１】本実施例に適用されるテレビジョン放送受信装置の構成を示した概略ブロック図である。
【図２】番組間優先情報の作成手順について説明するためのフローチャトである。
【図３】操作履歴情報とＥＰＧ情報から作成された番組リストの一例をを示す図である。
【図４】図３におけるＥＰＧ情報の一例を示した図である。
【図５】図３における操作履歴情報の一例を示した図である。
【符号の説明】
【００３１】
１…チューナ部
３…番組間優先情報作成処理部
４…自動録画処理部
５…ＥＰＧ取得処理部
６…リモコン信号受信処理部
７…操作履歴作成処理部
８…蓄積装置
９…リモコン
１２…テレビジョン放送受信装置
【図１】
2005159978.tif 000003
【図２】
2005159978.tif 000004
【図３】
2005159978.tif 000005
【図４】
2005159978.tif 000006
【図５】
2005159978.tif 000007